(57)【特許請求の範囲】
【請求項１】
基盤と、
開口部を持ち前記基盤に対向して、前記基盤に設けられるカバーと、
前記開口部に対して開閉自在に設けられた羽根と、を備え、
前記羽根は、前記基盤に回動自在に設け、
前記羽根の開方向の停止位置を規制する第１のストッパー部を前記カバーに設け、
前記羽根の開方向の停止位置を規制する第２のストッパー部を前記基盤に設け、
前記カバーのない状態では、前記羽根は開方向の停止位置を前記第２のストッパーにより
規制され、
前記カバーのある状態では、前記羽根は開方向の停止位置を前記第１のストッパーにより
規制されることを特徴とするバリアユニット。
【発明の詳細な説明】
【技術分野】
【０００１】
本発明は、スティルカメラやビデオムービーカメラのレンズ等を保護するために、使用されるバリアユニットに関するものである。
【背景技術】
【０００２】
従来のバリアユニットの一例について、図５，６，７を用いて以下に説明する。図５は従来のバリアユニットの部品構成を表す上面斜視図であり、図６は従来のバリアユニットの部品構成を表す下面斜視図である。図７は従来のバリアユニットの羽根開状態での平面図である。図７においてはカバーは実線、基盤は一点鎖線、羽根は破線にて図示されている。図５，６，７において、１はカバーで、２は第１の羽根で、３は第２の羽根で、４は基盤で、５は第１のリングで、６は第２のリングで、７は第１のバネで、８は第２のバネである。第１及び第２の羽根２，３は、回転穴１５，１６によって基盤４上の軸９，１０に回転自在に取り付けられている。カバー１は、カバーに一体に弾性的に設けられたフック１１が基盤４に設けられたフックストッパー１２に係合することよって、第１、第２の羽根２，３を回動自在に所定の間隙をもってその間に挟み込んで基盤４と一体に取り付けられる。１３はカバー１に設けられた開口部である。第１及び第２のリング５，６は、基盤４の円筒部１４に回転自在に取り付けられる。第１のリング５に設けられたカムピン１９，２０は、第１及び第２の羽根に設けられた長穴１７，１８に係合し、羽根を回転駆動する。第１のバネ７は、第１のリング５のバネかけ部２１と第２のリング６のバネかけ部２２に張架される。第２のバネ８は、第２のリング６のバネかけ部２３と基盤４のバネかけ部２４に張架される。２５は第２のリング６に設けられたリング凸部であり、第１のリング５の切欠き部２６に挿入されて、組み立てられる。２７は基盤４に設けられた開口部である。２８は第２のリングに設けられたカム部であり、図示されない駆動手段によって、カム部２８が付勢されることによって、第１、第２の羽根２，３が閉方向に、第２のリング６が駆動される。第１のバネ７によって第１、第２のリング５，６は一体となっており、第２のリング６が閉方向にカム部２８によって駆動され、第１、第２の羽根２，３が閉じた後、さらに余裕をもって第２のリング６が閉方向に回転駆動させられた時、第１のバネ７は伸びて、第２のリング６の第１のリング５に対する行き過ぎ量を回避する。４ａは基盤４に設けられたストッパー部で、第１及び第２の羽根２，３の開状態での停止位置を規定する。
【０００３】
なお、従来のバリアユニットは、他にも、例えば、特許文献１等に開示されている。
【特許文献１】特開２００４−２５８１２０号公報
【発明の開示】
【発明が解決しようとする課題】
【０００４】
近年、スティルカメラやビデオムービーカメラの小型化に伴い、レンズ鏡胴の外形サイズも小さくなり、かつ、レンズ鏡胴の光学性能の向上に伴い、レンズ径が大きくなっている。従って、バリアユニットにおいては、図７に示されるバリアユニット外形Ｄが小さくなり、開口部１３が大きくなっている。そのため、図７に示す羽根開状態での開き余裕Ｅを設計的に大きく設けることが困難になってきている。羽根開状態での開き余裕Ｅを十分に確保するためには、開口部１３と第１、第２の羽根２，３の開状態での停止位置との相対的な位置関係を精度よく実現しなければならない。
【０００５】
しかしながら、図５，６，７に開示したような従来のバリアユニットにおいては、第１及び第２の羽根２，３の開状態での停止位置は、基盤４に設けられたストッパー部4ａによって規定されるため、カバー１に設けられた開口部１３との相対的な位置関係にバラツキが生じやすく、そのため、羽根開状態での開き余裕Ｅの確保が困難で、羽根の開き不良を発生するという課題を有していた。また、羽根開状態での開き余裕Ｅを十分に確保しようとすれば、外形が小さく、開口部が大きいバリアユニットの実現が設計的に困難であった。
【０００６】
本発明は上記従来の問題点を解決するもので、羽根の開方向の停止位置を規制するストッパー部をカバーに設けることにより、カバーに設けられた開口部と羽根の開状態での停止位置との相対的な位置関係を精度よく実現し、羽根の開き不良のない、外形が小さく、開口部が大きいバリアユニットを提供することを目的とする。また、羽根の開方向の停止位置を規制する第１のストッパー部をカバーに設け、羽根の開方向の停止位置を規制する第２のストッパー部を基盤に設け、カバーのない状態でのバリアユニットでは、前記羽根は開方向の停止位置を前記第２のストッパーにより規制され、カバーのある状態でのバリアユニットでは、羽根は開方向の停止位置を第１のストッパーにより規制されることにより、バリアユニットの組み立て途中で、カバーを基盤に取り付ける前には、羽根は第２のストッパー部により、その開状態での停止位置を規定されることによって、カバーのない状態でも基盤に対して簡単に羽根の組み立てが可能であり、カバーを基盤に取り付けた後では、羽根の開状態での停止位置は第１のストッパー部によって規制され、第２のストッパー部は開状態で羽根と当接しなくなるため、組み立てが容易で、カバーに設けられた開口部と羽根の開状態での停止位置との相対的な位置関係を精度よく実現し、羽根の開き不良のない、外形が小さく、開口部が大きいバリアユニットを提供することを目的とする。
【課題を解決するための手段】
【０００７】
この目的を達成するために本発明のバリアユニットは、羽根の開方向の停止位置を規制する第１のストッパー部をカバーに設け、羽根の開方向の停止位置を規制する第２のストッパー部を基盤に設け、カバーのない状態でのバリアユニットでは、前記羽根は開方向の停止位置を前記第２のストッパーにより規制され、カバーのある状態でのバリアユニットでは、羽根は開方向の停止位置を第１のストッパーにより規制される構成になっている。
【０００８】
この構成によって、カバーのない状態でも基盤に対して簡単に羽根の組み立てが可能であり、カバーを基盤に取り付けた後では、羽根の開状態での停止位置は第１のストッパー部によって規制され、第２のストッパー部は開状態で羽根と当接しなくなるため、組み立てが容易で、カバーに設けられた開口部と羽根の開状態での停止位置との相対的な位置関係を精度よく実現し、羽根の開き不良のない、外形が小さく、開口部が大きいバリアユニットを実現する。
【発明の効果】
【０００９】
本発明のバリアユニットは、羽根の開方向の停止位置を規制する第１のストッパー部をカバーに設け、羽根の開方向の停止位置を規制する第２のストッパー部を基盤に設け、カバーのない状態でのバリアユニットでは、前記羽根は開方向の停止位置を前記第２のストッパーにより規制され、カバーのある状態でのバリアユニットでは、羽根は開方向の停止位置を第１のストッパーにより規制される構成によって、カバーのない状態でも基盤に対して簡単に羽根の組み立てが可能であり、カバーを基盤に取り付けた後では、羽根の開状態での停止位置は第１のストッパー部によって規制され、第２のストッパー部は開状態で羽根と当接しなくなるため、組み立てが容易で、カバーに設けられた開口部と羽根の開状態での停止位置との相対的な位置関係を精度よく実現し、羽根の開き不良のない、外形が小さく、開口部が大きいバリアユニットを実現する。
【発明を実施するための最良の形態】
【００１０】
（実施の形態１）
本発明のバリアユニットの一例について、図１，２，３，４を用いて以下に説明する。図１は本発明のバリアユニットの部品構成を表す上面斜視図であり、図２は本発明のバリアユニットの部品構成を表す下面斜視図である。図３は本発明のバリアユニットの羽根開状態での平面図で、図４は本発明のバリアユニットのカバーのない状態での羽根開状態での平面図である。図３，４において、カバーは実線、基盤は一点鎖線、羽根は破線にて図示されている。
【００１１】
図１，２，３，４において、１はカバーで、２は第１の羽根で、３は第２の羽根で、４は基盤で、５は第１のリングで、６は第２のリングで、７は第１のバネで、８は第２のバネである。第１及び第２の羽根２，３は、回転穴１５，１６によって基盤４上の軸９，１０に回転自在に取り付けられている。カバー１は、カバーに一体に弾性的に設けられたフック１１が基盤４に設けられたフックストッパー１２に係合することよって、第１、第２の羽根２，３を回動自在に所定の間隙をもってその間に挟み込んで基盤４と一体に取り付けられる。１３はカバー１に設けられた開口部である。第１及び第２のリング５，６は、基盤４の円筒部１４に回転自在に取り付けられる。第１のリング５に設けられたカムピン１９，２０は、第１及び第２の羽根に設けられた長穴１７，１８に係合し、羽根を回転駆動する。第１のバネ７は、第１のリング５のバネかけ部２１と第２のリング６のバネかけ部２２に張架される。第２のバネ８は、第２のリング６のバネかけ部２３と基盤４のバネかけ部２４に張架される。２５は第２のリング６に設けられたリング凸部であり、第１のリング５の切欠き部２６に挿入されて、組み立てられる。２７は基盤４に設けられた開口部である。２８は第２のリングに設けられたカム部であり、図示されない駆動手段によって、カム部２８が付勢されることによって、第１、第２の羽根２，３が閉方向に、第２のリング６が駆動される。第１のバネ７によって第１、第２のリング５，６は一体となっており、第２のリング６が閉方向にカム部２８によって駆動され、第１、第２の羽根２，３が閉じた後、さらに余裕をもって第２のリング６が閉方向に回転駆動させられた時、第１のバネ７は伸びて、第２のリング６の第１のリング５に対する行き過ぎ量を回避する。１ａはカバー１に設けられた第１のストッパー部である。４ａは基盤４に設けられた第２のストッパー部である。
【００１２】
図３に示すように、第１及び第２の羽根２，３の開状態では、第１のストッパー部１ａは、第１及び第２の羽根２，３の開状態での停止位置を規定され、この時、第１及び第２の羽根２，３と第２のストッパー部４ａは当接していない。このように、第１及び第２の羽根２，３の開状態での停止位置は、カバー1に設けられたストッパー部１ａによって規定されるため、カバー１に設けられた開口部１３との相対的な位置関係にバラツキが生じにくく、そのため、羽根開状態での開き余裕Ｅが精度よく確保され、羽根の開き不良を防止する。また、羽根開状態での開き余裕Ｅを十分に確保できるため、外形が小さく、開口部が大きいバリアユニットの実現が可能である。
【００１３】
図４は、カバー１の取り付けられていない組み立て途中のバリアユニットを示す。この状態では、第１及び第２の羽根２，３は第２のストッパー部４ａによって開状態での停止位置を規定されるので、カバーのない状態でも基盤に対して簡単に羽根の組み立てが可能であり、カバーを基盤に取り付けた後では、第２のストッパー部は開状態で羽根と当接しなくなり、羽根の開状態での停止位置は第１のストッパー部によって規制されるという、組み立てが容易で、羽根の開き不良のない、外形が小さく、開口部が大きいバリアユニットを実現する。
【００１４】
なお、本発明の実施例では、第１の羽根と第２の羽根の２枚の羽根があるとしたが、２枚より多くの羽根があってもよい。また、第１の羽根と第２の羽根の２枚の羽根があるとしたが、１枚の羽根のみであってもよい。また、羽根は、羽根に設けられた長穴と、その長穴に係合する第１のリングに設けられたカムピンによって駆動されるとしたが、ギア等の駆動手段によって駆動されてもよい。また、羽根は基盤に対して回動自在に設けられるとしたが、基盤に対してスライドして動くように設けられていてもよい。
【００１５】
以上のように、本発明のバリアユニットは、基盤と、カバーと、羽根とを備える。カバーは、開口部を持ち前記基盤に対向して、前記基盤に設けられる。羽根は、前記開口部に対して開閉自在に設けられる。そして、前記羽根の開方向の停止位置を規制するストッパー部を前記カバーに設ける。
【００１６】
また、本実施の形態に示すように、前記羽根を前記基盤に回動自在に設け、前記羽根の開方向の停止位置を規制する第１のストッパー部を前記カバーに設け、前記羽根の開方向の停止位置を規制する第２のストッパー部を前記基盤に設けるようにしてもよい。この場合、前記カバーのない状態では、前記羽根は開方向の停止位置を前記第２のストッパーにより規制され、前記カバーのある状態では、前記羽根は開方向の停止位置を前記第１のストッパーにより規制されるようにしてもよい。
【産業上の利用可能性】
【００１７】
本発明は、スティルカメラやビデオムービーカメラのレンズ等を保護するために、使用されるバリアユニットに関するもので、カバーに羽根の開状態での停止位置を規定するストッパー部を設けることにより、羽根開状態での羽根の開き余裕を精度よく確保し、羽根の開き不良を防止し、外形が小さく、開口部が大きいバリアユニットを実現する。
【図面の簡単な説明】
【００１８】
【図１】本発明の実施の形態１のバリアユニットの部品構成を表す上面斜視図
【図２】本発明の実施の形態１のバリアユニットの部品構成を表す下面斜視図
【図３】本発明の実施の形態１のバリアユニットの羽根開状態での平面図
【図４】本発明の実施の形態１のバリアユニットのカバーのない状態での羽根開状態での平面図
【図５】従来のバリアユニットの部品構成を表す上面斜視図
【図６】従来のバリアユニットの部品構成を表す下面斜視図
【図７】従来のバリアユニットの羽根開状態での平面図
【符号の説明】
【００１９】
１    カバー
２    第１の羽根
３    第２の羽根
４    基盤
１ａ    カバーに設けられたストッパー部
４ａ    基盤に設けられたストッパー部
【図１】
0005262174.tif 000002
【図２】
0005262174.tif 000003
【図３】
0005262174.tif 000004
【図４】
0005262174.tif 000005
【図５】
0005262174.tif 000006
【図６】
0005262174.tif 000007
【図７】
0005262174.tif 000008